(57)【特許請求の範囲】
【請求項１】
画像を形成する画像形成素子と、
入力された画像信号と表示画像の色むらを低減するための色むら補正値とを用いて、前記画像形成素子に対して与えられる信号を生成する処理手段と、
前記表示画像を形成する画素のうち互いに間隔をおいて配置された複数の特定画素のそれぞれに対して設定され、前記特定画素とは異なる画素に対する前記色むら補正値の算出に用いられる前記色むら補正値を、複数の階調値のそれぞれに対して記憶した記憶手段とを有し、
前記特定画素の数が、前記階調値によって異なることを特徴とする表示装置。
【請求項２】
前記複数の階調値のうち第１の階調値での前記特定画素の数が、前記第１の階調値よりも高い第２の階調値での前記特定画素の数よりも少ないことを特徴とする請求項１に記載の表示装置。
【請求項３】
前記処理手段は、前記画像形成素子の各画素の色むら補正値を、前記記憶手段に記憶された前記色むら補正値を用いた補間演算により算出することを特徴とする請求項１又は２に記載の表示装置。
【請求項４】
前記複数の階調値のうち最も低い階調値において、前記複数の特定画素に対して設定された前記色むら補正値は、互いに同一値であることを特徴とする請求項１から３のいずれか１つに記載の表示装置。
【請求項５】
前記最も低い階調値において、前記複数の特定画素に対して設定された前記色むら補正値は無補正値であることを特徴とする請求項４に記載の表示装置。
【請求項６】
前記最も低い階調値において、前記複数の特定画素に対して設定された前記色むら補正値は、ハードコーディングされた固定値であることを特徴とする請求項４又は５に記載の表示装置。
【請求項７】
前記複数の階調値のうち最も高い階調値において、前記複数の特定画素に対して設定された前記色むら補正値は、互いに同一値であることを特徴とする請求項１から６のいずれか１つに記載の表示装置。
【請求項８】
前記最も高い階調値において、前記複数の特定画素に対して設定された前記色むら補正値は無補正値であることを特徴とする請求項７に記載の表示装置。
【請求項９】
前記最も高い階調値において、前記複数の特定画素に対して設定された前記色むら補正値は、ハードコーディングされた固定値であることを特徴とする請求項７又は８に記載の表示装置。
【請求項１０】
前記画像信号は、前記画像形成素子の反射率又は透過率に応じてガンマ補正された信号であることを特徴とする請求項１から９のいずれか１項に記載の表示装置。
【請求項１１】
前記画像形成素子として、 
緑色の画像を形成する緑用の画像形成素子と、 
赤色の画像を形成する赤用の画像形成素子と、 
青色の画像を形成する青用の画像形成素子を有し、
前記複数の階調値のうち特定の階調値において、前記赤又は青用の画像形成素子における前記特定画素の数は、前記緑用の画像形成素子における前記特定画素の数よりも少ないことを特徴とする請求項１から１０のいずれか１項に記載の表示装置。
【発明の詳細な説明】
【技術分野】
【０００１】
本発明は、表示画像の色むらを低減するための処理を行う画像投射装置やモニタ装置等の表示装置に関する。
【背景技術】
【０００２】
プロジェクタ等の画像投射装置は、光源からの光を３原色の光に分解し、それぞれの原色光を液晶パネル（画像形成素子）によって画素ごとに変調し、該変調された３つの原色光を合成して投射レンズによりスクリーンに投射することでカラー画像を表示する。ただし、光源から液晶パネルへの分光照射強度むら、投射レンズでの透過率むら、色分解光学系や色合成光学系での分光反射率むら、液晶パネル面内での透過率又は反射率むら等によって、原色ごとに特有の輝度むらが発生する。そして、原色ごとの輝度むらは、投射されたカラー画像において色むらとなる。
【０００３】
このような色むらを低減するために、入力された画像信号に応じて各液晶パネルを駆動するための信号を生成する際に、色むら補正処理が行われる。色むら補正処理を行う色むら補正回路では、複数の階調において、液晶パネルにおける複数の特定画素のそれぞれに対して色むら補正値を用意し、入力画像信号の階調に対応する色むら補正値を用いて液晶パネルを駆動するための信号を生成する。
【０００４】
また、特許文献１にて開示された色むら補正回路では、階調と色むら補正値との相関性に着目し、ある階調に対応した基準色むら補正値をメモリに記憶（保持）するとともに、他の階調では基準色むら補正値に対する差分を色むら補正値としてメモリに保持する。これにより、色むら補正値を格納するためのメモリ領域の削減を図っている。
【特許文献１】特開２００１−３５７３９４号公報
【発明の開示】
【発明が解決しようとする課題】
【０００５】
しかしながら、特許文献１にて開示された表示装置も含めて、従来の色むら補正回路では、色むら補正値が設定された全ての階調において特定画素数が同じである。すなわち、色の濃度が低い（色が薄い又は階調が低い）ほど色むらを視認しにくいという人間の視覚的特性が考慮されていない。このため、色むら補正値を保持するメモリの規模が必要以上に大きくなっている。
【０００６】
そこで、本発明は、良好な色むら補正を行いつつ、色むら補正処理のために設けられたメモリの規模を小さくすることができる表示装置を提供する。
【課題を解決するための手段】
【０００７】
本発明の一側面としての表示装置は、画像を形成する画像形成素子と、入力された画像信号と表示画像の色むらを低減するための色むら補正値とを用いて、画像形成素子に対して与えられる信号を生成する処理手段と、表示画像を形成する画素のうち互いに間隔をおいて配置された複数の特定画素のそれぞれに対して設定され、特定画素とは異なる画素に対する色むら補正値の算出に用いられる色むら補正値を、複数の階調値のそれぞれに対して記憶した記憶手段とを有する。そして、特定画素の数が、上記階調値によって異なることを特徴とする。
【発明の効果】
【０００８】
本発明によれば、良好な色むら補正を行える範囲で、設定する色むら補正値の数（特定画素の数）を従来に比べて少なくすることができるので、色むら補正値を記憶する記憶手段の規模を小さくすることができる。
【発明を実施するための最良の形態】
【０００９】
以下、本発明の好ましい実施例について図面を参照しながら説明する。
【００１０】
まず、図３を用いて、本発明の実施例である表示装置としての液晶プロジェクタ（画像投射装置）の光学的構成について説明する。
【００１１】
図３において、２３０は放電ランプ等の光源であり、２３１は光源２３０からの白色光をＲ，Ｇ，Ｂの３つの色光に分解して、画像形成素子である液晶パネル（ここでは反射型液晶パネル）２１０，２１１，２１２に導く色分解合成光学系である。各液晶パネルは、後述する処理回路によって生成された駆動信号によって画素ごとに駆動され、色分解合成光学系２３１からの色光を、入力映像信号に応じて変調する。液晶パネル２１０，２１１，２１２によって変調された３つの色光は、色分解合成光学系２３１によって合成され、投射レンズ２３５に導かれる。投射レンズ２３５は、３つの色光が合成された光を拡大してスクリーン２４０に投射する。これにより、スクリーン２４０上にカラー画像（表示画像）が表示される。
【００１２】
次に、図２を用いて、本実施例のプロジェクタにおける電気的構成について説明する。本実施例のプロジェクタでは、外部から入力された映像信号（画像信号）であるコンポジット信号、アナログ又はデジタル信号をデジタルＲＧＢ信号又はデジタルＹＵＶ信号に変換する。そして、デジタルＲＧＢ信号又はデジタルＹＵＶ信号から得られた第１のデジタル映像信号に解像度変換を施して、液晶パネルの解像度に対応した第２のデジタル映像信号を生成する。図２に示す映像信号２０１は、第１のデジタル映像信号を示し、Ｒ，Ｇ，Ｂのそれぞれにおいて画素ごとに８ビットで表される濃度を持った信号（ＲＧＢ２４ビット信号）である。
【００１３】
なお、本実施例にいう「濃度」（濃度値）は「階調」（階調値）と言い換えることができ、「濃度が高い」（濃い）とは「階調が高い」ことに相当する。
【００１４】
第１のデジタル映像信号２０１は、ＲＧＢ２４ビット信号ではあるが、解像度（画素数）については不定であるため、解像度変換回路２０２に入力される。解像度変換回路２０２は、拡大縮小処理によって第１のデジタル映像信号２０１を、液晶パネル２１０，２１１，２１２の解像度に対応する解像度を有する第２のデジタル映像信号に変換する。
【００１５】
こうして解像度と画素ごとの濃度が正規化された第２のデジタル映像信号は、その濃度値を、液晶パネルにて濃度（階調）を表現する反射率（透過型液晶パネルの場合は透過率）に対応付けるため、ガンマ補正回路２０３に入力される。本実施例では、液晶パネルの解像度として、ＸＧＡ（１０２４×７６８）の解像度を想定している。
【００１６】
例えばパーソナルコンピュータから出力されるアナログ映像信号では、ｓＲＧＢ空間での濃度値を示している。しかし、液晶パネルのＶＴ特性は、ｓＲＧＢ空間での濃度値と全く対応していない。そこで、第２のデジタル映像信号において各色８ビットで表される２５６の濃度値に対して、液晶パネルの反射率（又は透過率）特性がリニアになるように、ガンマ補正回路２０３によってガンマ補正が行われる。
【００１７】
また、ガンマ補正回路２０３は、ＲＧＢ２４ビットの第２のデジタル映像信号を、各色１０ビット（１０２４濃度値）のＲＧＢ３０ビット映像信号に拡張する。これは、ＲＧＢのそれぞれにおいて、入力２５６濃度に対して出力２５６濃度としてガンマ補正用のルックアップテーブルを構成すると、異なる入力値に対して同じ出力値が出力される場合が多発するためである。こうして、ガンマ補正回路２０３は、ビットが拡張され、かつ液晶パネルのＶＴ特性に応じた画素ごとの濃度値（階調値）を有する第３のデジタル映像信号を生成する。
【００１８】
ガンマ補正回路２０３から出力された第３のデジタル映像信号は、Ｒ，Ｇ，Ｂごとの映像信号に分離されて色むら補正回路（処理手段）２０４，２０５，２０６に入力される。
【００１９】
各色むら補正回路は、第３のデジタル映像信号と表示画像（投射画像）の色むらを低減するための色むら補正値とを用いて、各液晶パネルに対して与えられる信号（画素ごとの補正後濃度値を有する第４のデジタル映像信号）を生成する。色むら補正回路での具体的な処理については後述する。
【００２０】
２２０は解像度変換回路２０２、ガンマ補正回路２０３及び色むら補正回路２０４〜２０６の動作を制御する制御手段（コントローラ）としてのＣＰＵである。
【００２１】
２２１は記憶手段としての不揮発性メモリ（例えば、ＥＥＰＲＯＭ）であり、色むら補正値を記憶（保持）する。色むら補正値は、ＣＰＵ２２０を介して色むら補正回路２０４〜２０６に与えられる。
【００２２】
色むら補正回路２０４，２０５，２０６において色むら補正処理が行われた第４のデジタル映像信号は、液晶パネル２１０，２１１，２１２に対して与えられる信号として、Ｒ，Ｇ，Ｂ用のパネルドライバ２０７，２０８，２０９に入力される。各パネルドライバは、該信号をＡ／Ｄ変換したパネル駆動信号を液晶パネルに出力することで、該液晶パネルを駆動する。こうして、３つの液晶パネル２１０，２１１，２１２の画像形成領域に、入力映像信号に応じたＲ，Ｇ，Ｂの液晶画像が形成される。
【００２３】
次に、色むら補正処理の詳細について説明する。色むら補正処理は、実際はＲ，Ｇ，Ｂの色ごとに行われるが、以下では、Ｒ，Ｇ，Ｂに共通する処理を説明する。
【００２４】
本実施例及び従来の色むら補正回路は、第３のデジタル映像信号に含まれる画素ごとの濃度値の情報と、映像同期信号及び画素数カウントにより得られる液晶パネル上での画素位置の情報とを取り込む。そして、この画素位置と濃度値とから色むら補正値としての色むら補正量を算出し、第３のデジタル映像信号に含まれる画素ごとの濃度値に加算することにより、色むら補正が行われた（補正後濃度値を有する）第４のデジタル映像信号を生成する。
【００２５】
ここで、ＲＧＢの全画素に対して色むら補正量をルックアップテーブル形式で保持しておくことも可能である。ただし、例えばＸＧＡ規格のプロジェクタに必要となる色むら補正量の数は、上記ガンマ変換によって濃度値が８ビットから１０ビットに拡張されたとすると、１０２４×７６８×１０２４×３=２４１５９１９１０４となる。この場合に、色むら補正量に１バイトしか割り当てなかったとしても、約２．４ＧＢのテーブルが必要となり、現実的ではない。
【００２６】
そこで、従来の色むら補正回路では、図４の上側に示すように、縦軸に濃度（階調）をとり、水平２軸に画素位置を示すＨ方向座標位置とＶ方向座標位置をとった色むら補正空間を設定する。そして、所定の濃度間隔をおいて設定された濃度（階調）ごとに、色むら補正プレーンを設定する。言い換えれば、液晶パネルに形成される画像又は投射画像としての表示画像の色の濃度に対応する複数の階調において色むら補正プレーンを設定する。
【００２７】
各色むら補正プレーンでは、Ｈ方向座標とＶ方向座標において所定の画素間隔をおいて配置された複数の特定画素に対してのみ色むら補正量が設定される。そして、これら特定画素に対する色むら補正量のみがテーブルデータとして保持される。色むら補正回路は、色むら補正プレーン上及び色むら補正空間内の各画素に対して、後述の色むら補正を行わない場合を除き、２つ以上の色むら補正プレーン上の２つ以上の特定画素に対して設定された色むら補正量を用いた補間演算により補正後濃度値を生成する。
【００２８】
図４の下側には、解像度がＸＧＡである場合の従来の各色むら補正プレーン上での特定画素の配置を示す図である。ここでは、画素位置は、Ｈ方向に０〜１０２３、Ｖ方向に０〜７６７の値をとり、濃度値は、０〜１０２３までの値をとる。補正空間に対して、４つの色むら補正プレーン３０１，３０２，３０３，３０４が設定されている。各色むら補正プレーンでは、特定画素におけるそのプレーンの濃度値に対する色むら補正量が設定されている。各色むら補正プレーン内に示されたメッシュの交点部が特定画素に相当する。この例では、Ｈ方向とＶ方向にそれぞれ、１２８画素ごとに特定画素を配置している。
【００２９】
これに対し、本実施例の色むら補正回路２０４，２０５，２０６では、解像度がＸＧＡである場合に、以下のような各色むら補正プレーン上での特定画素の配置を採用する。
【００３０】
図５の上側には、本実施例において、複数（４つ）の濃度において、すなわち所定の濃度間隔をおいた濃度（階調）ごとに設定された４つの色むら補正プレーン５０１〜５０４（ccLayer3〜ccLayer0）を示している。濃度が高い（濃い）側から低い側（薄い）に順に、色むら補正プレーンccLayer3, ccLayer2, ccLayer1, ccLayer0とプレーン名を付している。また、それぞれの色むら補正プレーンに対応する濃度は、ccLayer3=900, ccLayer2=600, ccLayer1=300, ccLayer0=100 である。なお、これらの濃度は例であり、任意に変更可能である。ただし、1023≧ccLayer3≧ccLayer2≧ccLayer1≧ccLayer0≧0 の関係になっている。色むら補正プレーンccLayer3が上記４つの濃度のうち最も高い濃度に対応し、色むら補正プレーンccLayer0が最も低い濃度に対応する。
【００３１】
図５の下側に示すように、色むら補正プレーン５０１（ccLayer3=900）では、該色むら補正プレーン５０１の４隅に相当する２×２（Ｈ方向の個数×Ｖ方向の個数：以下同様）個の特定画素に対して色むら補正量Ｃが設定されている。これら４つの色むら補正量Ｃは、色むら補正を行わないことを示す無補正値＝０（同一値）である。この色むら補正プレーン５０１の設定により、入力映像信号（第３のデジタル映像信号）のうち濃度値が９００以上の画素では、座標位置に関係なく色むら補正が行われない。ただし、色むら補正量Ｃを無補正値（＝０）とすることは例にすぎず、色むら補正を行うための値に設定したり、４つの色むら補正量Ｃのうち少なくとも１つを他と異なる値としたりしてもよい。このことは、後述する色むら補正プレーン５０４（ccLayer0=100）においても同様である。
【００３２】
色むら補正プレーン５０２（ccLayer2=600）では、Ｈ方向及びＶ方向において１２８画素ごとに配置された特定画素（該色むら補正プレーン５０２内のメッシュの交点部に相当する）に対して色むら補正量Ｃが設定されている。すなわち、９×７個の特定画素に対して色むら補正量Ｃが設定されている。
【００３３】
色むら補正プレーン５０３（ccLayer1=300）では、Ｈ方向及びＶ方向において２５６画素ごとに配置された特定画素に対して色むら補正量Ｃが設定されている。すなわち、５×４個の特定画素に対して色むら補正量Ｃが設定されている。
【００３４】
色むら補正プレーン５０４（ccLayer0=100）では、色むら補正プレーン５０１（ccLayer3=900）と同様に、２×２個の特定画素に対して色むら補正量Ｃが設定されている。これらの色むら補正量Ｃは無補正値＝０（同一値）である。この色むら補正プレーン５０４の設定により、入力映像信号（第３のデジタル映像信号）のうち濃度値が１００以下の画素では、座標位置に関係なく色むら補正が行われない。
【００３５】
このように、本実施例では、色むら補正値が設定された特定画素の数が、色むら補正プレーン５０１〜５０４に対応する濃度（階調）に応じて異なる。また、色むら補正プレーン５０３にて色むら補正値が設定された特定画素数が、該色むら補正プレーン５０３に対応する濃度（第１の階調）よりも高い濃度（第２の階調）に対応する色むら補正プレーン５０２にて色むら補正値が設定された特定画素数よりも少ない。さらに、色むら補正プレーン５０４にて色むら補正値が設定された特定画素数が、該色むら補正プレーン５０４に対応する濃度（第１の階調）よりも高い濃度（第２の階調）に対応する色むら補正プレーン５０３にて色むら補正値が設定された特定画素数よりも少ない。色むら補正プレーン５０２〜５０４においては、その色むら補正プレーンに対応する濃度が低いほど特定画素数が少なくなっている。
【００３６】
これにより、全ての色むら補正プレーンで同じ数の特定画素及び色むら補正量が設定される場合に比べて、メモリ２２１に保持させる色むら補正量を少なくすることができ、メモリ２２１の規模（必要記憶容量）を小さくすることができる。
【００３７】
図１には、本実施例の色むら補正処理におけるデータの流れについて説明する。
【００３８】
１０１は図２に示したガンマ補正回路２０３から出力された画素ごとの濃度値を示す画素濃度情報であり、該濃度値のレンジとして、１０ビットにより０〜１０２３の値をとる。
【００３９】
１０２は画素濃度情報１０１に対応する液晶パネル上（画像形成領域内）での画素位置を示す画素位置情報である。この画素位置情報は、ガンマ補正回路２０３から出力されるＨ／Ｖ同期信号とドットクロックとから算出される。
【００４０】
１０３は上記メモリ２２１に保持された、色むら補正プレーンccLayer3において設定された色むら補正量（２×２個）（無補正値）である。
【００４１】
ただし、この色むら補正量１０３を、図２に示すように、色むら補正回路２０４〜２０６に設けられたメモリ部２０４ａ〜２０６ａに、ハードコーディングされた固定値として保持してもよい。これにより、メモリ２２１に保持させる色むら補正量をさらに少なくすることができ、メモリ２２１の規模をより小さくすることができる。
【００４２】
１０４は色むら補正プレーンccLayer3での画素ごとの色むら補正量を算出するプロセスである。本実施例では、色むら補正量１０３が無補正値に固定されているため、画素位置情報にかかわらず無補正値を出力する。
【００４３】
１０５は上記メモリ２２１に保持された、色むら補正プレーンccLayer2において設定された色むら補正量（９×７個）である。
【００４４】
１０６は色むら補正プレーンccLayer2での画素ごとの色むら補正量を算出するプロセスである。該プロセス１０６では、色むら補正量１０５と画素位置情報１０２とから色むら補正プレーンccLayer2に対応する濃度での画素ごとの色むら補正量を算出する。
【００４５】
１０７は上記メモリ２２１に保持された、色むら補正プレーンccLayer1において設定された色むら補正量（５×４個）である。
【００４６】
１０８は色むら補正プレーンccLayer1での画素ごとの色むら補正量を算出するプロセスである。該プロセス１０８では、色むら補正量１０７と画素位置情報１０２とから色むら補正プレーンccLayer1に対応する濃度での画素ごとの色むら補正量を算出する。
【００４７】
１０９は上記メモリ２２１に保持された、色むら補正プレーンccLayer3において設定された色むら補正量（２×２個）（無補正値）である。
【００４８】
ただし、この色むら補正量１０９も、色むら補正量１０３と同様に、色むら補正回路２０４〜２０６に設けられたメモリ部２０４ａ〜２０６ａに、ハードコーディングされた固定値として保持してもよい。これにより、メモリ２２１に保持させる色むら補正量をさらに少なくすることができ、メモリ２２１の規模をより小さくすることができる。
【００４９】
１１０は色むら補正プレーンccLayer0での画素ごとの色むら補正量を算出するプロセスである。本実施例では、色むら補正量１０９が無補正値に固定されているため、画素位置情報にかかわらず無補正値を出力する。
【００５０】
算出された色むら補正プレーンccLayer3〜ccLayer0での画素ごとの色むら補正量と、色むら補正プレーンccLayer3〜ccLayer0に対応する濃度値１１２と、画素濃度情報１０１は、色むら補正量算出プロセス１１１に入力される。色むら補正量算出プロセス１１１は、これら入力データに基づいて（色むら補正量と画素濃度情報１０１とを加算するプロセス１１３を経て）、最終的な画素濃度情報（前述した補正後濃度値）１１４′を算出する。この画素濃度情報１１４′は、画素位置情報１１５とともに第４のデジタル映像信号に含まれ、該第４のデジタル映像信号は、Ｈ／Ｖ同期信号とドットクロックとともにパネルドライバに出力される。これにより、各液晶パネルが駆動され、色むらが低減されたカラー画像が、図３に示したスクリーン２４０に投射される。
【００５１】
なお、ここでは詳しく説明しないが、色むら補正量の演算時間等によって生ずる同期信号に対する遅延を補正する処理も行われる。
【００５２】
図６には、各色むら補正回路で行われる色むら補正空間での色むら補正量の補間演算の方法を示している。ここでは、入力画像信号の濃度値が５００であり、色むら補正の対象となる画素の座標がＡ（１００，２００）である場合について説明する。
【００５３】
この場合、色むら補正空間内での点Ａは、色むら補正プレーンccLayer2(=600)と色むら補正プレーンccLayer1(=300) との間に挟まれている。このため、点Ａに対応する図中の点Pz, Px0, Px1, Py0, Py1の位置はそれぞれ、以下のように算出される。なお、ｚは濃度方向、ｘはＨ方向、ｙはＶ方向にそれぞれ対応する。
【００５４】
Pz =(500-300)/(600-300)=0.667
Px0 =(100%256)/256=0.391
Px1 =(100%128)/128=0.781
Py0 =(200%256)/256=0.781
Py1 =(200%128)/128=0.563
ただし、「％」はモジュロ演算子である。
【００５５】
そして、これらPz, Px0, Px1, Py0, Py1の値を、図中の式に適用することで、点Ａにおける色むら補正量Ｃの線形補間演算が行われる。点Ａの画素以外の画素についても、同様にして色むら補正量を線形補間演算により算出することができる。
【００５６】
図７には、色むら補正プレーンccLayer3を用いて行われる、図１に示したプロセス１０４での処理をフローチャートにして示している。色むら補正プレーンccLayer3は、４つの色むら補正プレーンccLayer3〜ccLayer0のうち最も高い濃度に対応する色むら補正プレーンであり、無補正値としての色むら補正量が４つの特定画素に対して設定されている。
【００５７】
Ｓ８０１で本フローが開始すると、Ｓ８０２では、プロセス１０４（つまりは色むら補正回路）は、画素位置情報を取得する。次に、Ｓ８０３では、プロセス１０４は、画素位置情報に対応する色むら補正量（いずれも無補正値）を取得する。そして、Ｓ８０４では、プロセス１０４は、取得した色むら補正量を、図１に示したプロセス１１１に出力し、Ｓ８０５で本フローを終了する。なお、本フローチャートで示した処理は、コンピュータプログラムによって実行されてもよいし、ハードウェアによって実行されてもよい。このことは、後述する他のプロセスでも同様である。
【００５８】
図８には、色むら補正プレーンccLayer2を用いて行われる、図１に示したプロセス１０６での処理をフローチャートにして示している。色むら補正プレーンccLayer2では、６３個の特定画素に対して色むら補正量が設定されている。
【００５９】
Ｓ９０１で本フローが開始すると、Ｓ９０２では、プロセス１０６（つまりは色むら補正回路）は、画素位置情報（ｘ，ｙ）を取得する。次に、Ｓ９０３では、プロセス１０６は、色むら補正プレーンccLayer2上の６３個の特定画素に対して設定された色むら補正量（図８ではｃと示す）を色むら補正テーブルデータとして読み込む。
【００６０】
次に、Ｓ９０４では、プロセス１０６は、色むら補正テーブルデータと図中に示す演算式とを用いて、画素位置情報（ｘ，ｙ）に対応する色むら補正プレーンccLayer2上での色むら補正量を取得（補間演算）する。そして、Ｓ９０５では、プロセス１０６は、取得した色むら補正量を、図１に示したプロセス１１１に出力し、Ｓ９０６で本フローを終了する。
【００６１】
図９には、色むら補正プレーンccLayer1を用いて行われる、図１に示したプロセス１０８での処理をフローチャートにして示している。色むら補正プレーンccLayer1では、２０個の特定画素に対して色むら補正量が設定されている。
【００６２】
Ｓ１００１で本フローが開始すると、Ｓ１００２では、プロセス１０８（つまりは色むら補正回路）は、画素位置情報（ｘ，ｙ）を取得する。次に、Ｓ１００３では、プロセス１０８は、色むら補正プレーンccLayer1上の２０個の特定画素に対して設定された色むら補正量（図９ではｃと示す）を色むら補正テーブルデータとして読み込む。
【００６３】
次に、Ｓ１００４では、プロセス１０８は、色むら補正テーブルデータと図中に示す演算式とを用いて、画素位置情報（ｘ，ｙ）に対応する色むら補正プレーンccLayer1上での色むら補正量を取得（補間演算）する。そして、Ｓ１００５では、プロセス１０８は、取得した色むら補正量を、図１に示したプロセス１１１に出力し、Ｓ１００６で本フローを終了する。
【００６４】
図１０には、色むら補正プレーンccLayer0を用いて行われる、図１に示したプロセス１１０での処理をフローチャートにして示している。色むら補正プレーンccLayer0は、４つの色むら補正プレーンccLayer3〜ccLayer0のうち最も低い濃度に対応する色むら補正プレーンであり、無補正値としての色むら補正量が４つの特定画素に対して設定されている。
【００６５】
Ｓ１１０１で本フローが開始すると、Ｓ１１０２では、プロセス１１０（つまりは色むら補正回路）は、画素位置情報を取得する。次に、Ｓ１１０３では、プロセス１１０は、画素位置情報に対応する色むら補正量（いずれも無補正値）を取得する。そして、Ｓ１１０４では、プロセス１０８は、取得した色むら補正量を、図１に示したプロセス１１１に出力し、Ｓ１１０５で本フローを終了する。
【００６６】
図１１には、図１に示す色むら補正量算出プロセス１１１での処理をフローチャートにして示している。
【００６７】
Ｓ１２０１で本フローを開始すると、Ｓ１２０２では、プロセス１１１（つまりは色むら補正回路）は、画素濃度情報ｄを取得する。また、Ｓ１２０３では、プロセス１１１は、図７〜図１０に示した処理によりプロセス１０４，１０６，１０８，１１０で算出された各色むら補正プレーンに対する色むら補正量cc3〜cc0を取得する。さらに、Ｓ１２０４では、プロセス１１１は、色むら補正プレーンccLayer3〜ccLayer0に対応する濃度値Ｌ３〜Ｌ０を取得する。
【００６８】
Ｓ１２０５では、プロセス１１１は、取得した画素濃度情報ｄが最高濃度の色むら補正プレーンccLayer3に対応する濃度値Ｌ３以上の値か否かを判定する。画素濃度情報ｄが該濃度値Ｌ３以上の値である場合は、Ｓ１２０６に進み、色むら補正プレーンccLayer3で設定された色むら補正量cc3（無補正値）を最終的な色むら補正量として採用する。
【００６９】
画素濃度情報ｄが、濃度値Ｌ３より小さい値である場合は、Ｓ１２０７に進む。Ｓ１２０７では、プロセス１１１は、画素濃度情報ｄが色むら補正プレーンccLayer2に対応する濃度値Ｌ２以上の値か否かを判定する。画素濃度情報ｄが該濃度値Ｌ２以上の値である場合は、Ｓ１２０８に進み、前述した色むら補正空間での線形補間演算によって最終的な色むら補正量を算出する。
【００７０】
画素濃度情報ｄが、濃度値Ｌ２より小さい値である場合は、Ｓ１２０９に進む。Ｓ１２０９では、プロセス１１１は、画素濃度情報ｄが色むら補正プレーンccLayer1に対応する濃度値Ｌ１以上の値か否かを判定する。画素濃度情報ｄが該濃度値Ｌ１以上の値である場合は、Ｓ１２１０に進み、前述した色むら補正空間での線形補間演算によって最終的な色むら補正量を算出する。
【００７１】
画素濃度情報ｄが、濃度値Ｌ１より小さい値である場合は、Ｓ１２１１に進む。Ｓ１２１１では、プロセス１１１は、画素濃度情報ｄが色むら補正プレーンccLayer0に対応する濃度値Ｌ０より大きい値か否かを判定する。画素濃度情報ｄが該濃度値Ｌ０より大きい値である場合は、Ｓ１２１２に進み、前述した色むら補正空間での線形補間演算によって最終的な色むら補正量を算出する。
【００７２】
画素濃度情報ｄが、濃度値Ｌ０以下の値である場合は、Ｓ１２１３に進む。Ｓ１２１３では、プロセス１１１は、色むら補正プレーンccLayer0で設定された算出された色むら補正量cc0（無補正値）を最終的な色むら補正量として採用する。
【００７３】
このようにして最終的な色むら補正量を算出すると、プロセス１１１は、Ｓ１２１４にて該色むら補正量を出力し、Ｓ１２１５で本フローを終了する。
【００７４】
以上説明した実施例は代表的な例にすぎず、本発明の実施に際しては、各実施例に対して種々の変形や変更が可能である。
【００７５】
上記実施例では、Ｒ，Ｇ，Ｂのすべてにおいて、互いに同じ濃度（階調）に対応する色むら補正プレーンで設定される特定画素（つまりは色むら補正量）の数を同じとする場合について説明した。しかし、Ｒ，Ｇ，Ｂにおける互いに同じ濃度に対応する色むら補正プレーン上での特定画素数を異ならせてもよい。例えば、人間の視覚的特性から考えると、Ｇに比べて、Ｒ，Ｂは人間の周波数感度特性が劣っていることから、Ｒ，Ｂにおける色むら補正プレーン上での特定画素数を、Ｇにおける同じ濃度に対応する色むら補正プレーン上での特定画素数よりも少なくしてもよい。
【００７６】
また、上記実施例では、プロジェクタについて説明したが、本発明は、ＬＣＤ等の画像形成素子に形成された画像を直接観察するタイプの表示装置にも適用することができる。
【図面の簡単な説明】
【００７７】
【図１】本発明の実施例における色むら補正回路のデータフロー図。
【図２】実施例であるプロジェクタの電気的構成を示す図。
【図３】実施例であるプロジェクタの光学的構成を示す図。
【図４】従来における色むら補正処理の概念を示す図。
【図５】実施例における色むら補正処理の概念を示す図。
【図６】実施例における色むら補正量の線形補間手法を示す図。
【図７】実施例における色むら補正プレーンccLayer3での色むら補正量の算出処理を示すフローチャート。
【図８】実施例における色むら補正プレーンccLayer2での色むら補正量の算出処理を示すフローチャート。
【図９】実施例における色むら補正プレーンccLayer1での色むら補正量の算出処理を示すフローチャート。
【図１０】実施例における色むら補正プレーンccLayer0での色むら補正量の算出処理を示すフローチャート。
【図１１】実施例における最終的な色むら補正量の算出処理を示すフローチャート。
【符号の説明】
【００７８】
２０１  映像信号
２０２  解像度変換回路
２０３  ガンマ補正回路
２０４  色むら補正回路（Ｒ）
２０５  色むら補正回路（Ｇ）
２０６  色むら補正回路（Ｂ）
２０７  パネルドライバ（Ｒ）
２０８  パネルドライバ（Ｇ）
２０９  パネルドライバ（Ｂ）
２１０  液晶パネル（Ｒ）
２１１  液晶パネル（Ｇ）
２１２  液晶パネル（Ｂ）
２２１  不揮発性メモリ
【図１】
0005207832.tif 000002
【図２】
0005207832.tif 000003
【図３】
0005207832.tif 000004
【図４】
0005207832.tif 000005
【図５】
0005207832.tif 000006
【図６】
0005207832.tif 000007
【図７】
0005207832.tif 000008
【図８】
0005207832.tif 000009
【図９】
0005207832.tif 000010
【図１０】
0005207832.tif 000011
【図１１】
0005207832.tif 000012